(57)【要約】  ある側面として、打楽器は、略円筒状の音楽用ドラム本体と、前記ドラム本体の上端に複数のドラム用ラグにより固定された音生成面とを有する音楽用ドラムと、前記複数のドラム用ラグのうち一つのドラム用ラグに装着され、装着ロッドを着脱可能に前記ドラム本体に固定するドラム装着クランプとを含む。  前記ドラム装着クランプは、前記音楽用ドラム本体に装着される装着台座を含む。  前記ドラムクランプを装着ロッドに固定するため、前記装着台座は、装着ロッド収容部と固定要素とを有しており、前記装着ロッドに対し前記音楽用ドラム本体を配置する。
2015506492.tif 000002
【特許請求の範囲】
【請求項１】
略円筒状の音楽用ドラム本体と、複数のドラム用ラグにより前記音楽用ドラム本体の上端部に固定された音生成面と、を有する音楽用ドラムと、
前記複数のドラム用ラグのうちの一つのドラム用ラグに装着され、装着ロッドを着脱可能に前記ドラム本体に装着するドラム装着クランプと、
を備え、
前記ドラム装着クランプは、
前記ドラム本体に装着される装着台座と、
前記装着台座に取り付けられる装着クランプと、
を有しており、
前記装着クランプは、クランプ台座及びクランプ要素を有し、
前記クランプ台座及びクランプ要素は、前記装着ロッドを受容する第一の開位置と、前記装着ロッドを固定的に把持する第二のクランプ位置と、の間で可逆的に調節できる
ことを特徴とする打楽器。
【請求項２】
全体として前記装着台座と前記装着クランプとの間に配置され、これらを連結し、前記装着クランプを前記ドラム本体から振動絶縁して設置する振動絶縁部材
を更に備えたことを特徴とする請求項１に記載の打楽器。
【請求項３】
前記振動絶縁部材は、ゴムを含んでいることを特徴とする請求項２に記載の打楽器。
【請求項４】
前記装着台座は、第一の面内に位置して前記振動絶縁部材に係合される第一のピン部材を画定するとともに、前記第一の面は、前記音楽用ドラムの軸線に対し略水平方向とされ、かつ、
前記クランプ台座は、前記第一の面に対して略垂直方向の第二の面内に位置し、前記振動絶縁部材に係合される第二のピン部材を画定するとともに、前記第二の面は、前記音楽用ドラムの軸線に対し略鉛直とされている
ことを特徴とする請求項２に記載の打楽器。
【請求項５】
前記振動絶縁部材は、
弾性を有し振動を減衰する材料から形成され、前記第一のピン部材周りに受容された一対の第一座金要素と、
弾性を有し振動を減衰する材料から形成され、前記第二のピン部材周りに受容された第二座金要素と、
を有していることを特徴とする請求項４に記載の打楽器。
【請求項６】
前記一対の第一座金要素の各座金要素は、互いに逆向きの前記装着台座によって規定された第一収容部に配置されており、かつ、
前記第二座金要素は、前記装着台座によって規定された第二収容部に配置されている
ことを特徴とする請求項５に記載の打楽器。
【請求項７】
前記第二座金要素は、全体として、前記一対の第一座金要素よりも、前記ドラムの前記音生成表面に対し前記ドラムクランプの下方の端部に設けられている
ことを特徴とする請求項６に記載の打楽器。
【請求項８】
前記第一のピン部材は、前記第一座金要素を貫いて延びている
ことを特徴とする請求項６に記載の打楽器。
【請求項９】
前記第一及び第二のピン部材を前記クランプ台座に対して固定する固定要素
を更に備えたことを特徴とする請求項８に記載の打楽器。
【請求項１０】
前記固定要素は、ねじ部品を有している
ことを特徴とする請求項９に記載の打楽器。
【請求項１１】
前記装着台座をドラム用ラグの位置において前記ドラム本体に固定する一又は二以上の装着部材
を更に備えたことを特徴とする請求項１に記載の打楽器。
【請求項１２】
前記装着部材は、前記ドラム本体のドラム用ラグ受容部に係合されたねじ部品である
ことを特徴とする請求項１１に記載の打楽器。
【請求項１３】
前記装着ロッドに固定されるメモリロック装置であって、
前記ドラムクランプと当該メモリロック装置が前記装着ロッドに固定されかつ相互に当接した際に、前記ドラム装着クランプの合わせ面に受容されるように形成されかつ配置される外面を規定するメモリロック装置
を更に備えたことを特徴とする請求項１に記載の打楽器。
【請求項１４】
音楽用ドラム本体にドラム用ラグを装着するよう規定された位置で、装着ロッドを着脱可能に装着するドラム装着クランプであって、
前記ドラム装着クランプは、
前記音楽用ドラム本体上に装着する装着台座と、
前記装着台座上に装着される装着クランプと、
を有しており、
前記装着クランプは、クランプ台座及びクランプ要素を有し、
前記クランプ台座及びクランプ要素は、前記装着ロッドを受容する第一の開状態と、前記装着ロッドを固定的に把持する第二のクランプ状態との間で可逆的に調節できる
ことを特徴とするドラム装着クランプ。
【請求項１５】
全体として前記装着台座と前記装着クランプとの間に配置され、これらを連結し、前記装着クランプを前記ドラム本体から振動絶縁して設置する振動絶縁部材
を更に備えたことを特徴とする請求項１４に記載のドラムクランプ。
【請求項１６】
前記振動絶縁部材は、ゴムを含んでいる
ことを特徴とする請求項１５に記載のドラムクランプ。
【請求項１７】
前記装着台座は、第一の面内に位置して前記振動絶縁部材に係合される第一のピン部材を画定しており、かつ、
前記クランプ台座は、前記第一の面に対して略垂直方向の第二の面内に位置して前記振動絶縁部材に係合される第二のピン部材を画定している
ことを特徴とする請求項１５に記載のドラムクランプ。
【請求項１８】
前記振動絶縁部材は、
弾性を有し振動を減衰する材料から形成され、前記第一のピン部材周りに受容された一対の第一座金要素と、
弾性を有し振動を減衰する材料から形成され、前記第二のピン部材周りに受容された第二座金要素と、
を有していることを特徴とする請求項１７に記載のドラムクランプ。
【請求項１９】
前記一対の第一座金要素の各座金要素は、互いに逆向きの前記装着台座によって規定された第一収容部に配置されており、かつ、
前記第二座金要素は、前記装着台座によって規定された第二収容部に配置されている
ことを特徴とする請求項１８に記載のドラムクランプ。
【請求項２０】
前記第二座金要素は、前記一対の第一座金要素よりも前記ドラムクランプの第一の端部に相対的に近接していることを特徴とする請求項１８に記載のドラムクランプ。
【請求項２１】
前記第一のピン部材は、前記第一座金要素を貫いて延びていることを特徴とする請求項１８に記載のドラムクランプ。
【請求項２２】
前記第一及び第二のピン部材を前記クランプ台座に対して固定する固定要素
を更に備えたことを特徴とする請求項２０に記載のドラムクランプ。
【請求項２３】
前記固定要素は、ねじ部品を有している
ことを特徴とする請求項２１に記載のドラムクランプ。
【請求項２４】
音楽用ドラム本体にドラム用ラグを装着するよう規定された位置で、装着ロッドを着脱可能に装着するドラム装着クランプであって、
前記ドラム装着クランプは、
前記音楽用ドラム本体上に装着する装着台座であって、装着ロッドの収容部を規定する装着台座と、
前記ドラムクランプを装着ロッドに固定し、前記音楽用ドラム本体を前記装着ロッドに対して配置する固定要素と、
を有していることを特徴とするドラム装着クランプ。
【発明の詳細な説明】
【技術分野】
【０００１】
本発明は、打楽器装着クランプ及びその関連システムに関する。
【背景技術】
【０００２】
ある種の打楽器装置（例：ドラムセット）は、セットの一部として（フロアスタンドに、あるいは、他のドラムに）配置され装着される様々な打楽器装置部品（例：ドラムやシンバル）を含む。ドラムセットに含まれる前記様々な打楽器装置部品は、カスタム、コンビネーション及び空間的配置に例示されるように、典型的には多種多様に異なって配置され、多くの場合、打楽器奏者個人の好みに従う。場合によっては、いくつかのドラムは、フロアスタンドにより支持される一方で、他のドラムは隣接したドラムに装着される。前記ドラムセットのドラムには、打楽器用付属品も装着でき、追加的な別個の打楽器用付属支持スタンドなしに、演奏者が演奏中に前記打楽器用付属品にアクセスできるようになっている。打楽器装置のいくつかの物品は、使用のために前記ドラムセットがセットアップされる度に組み立てられ（例：ドラムへ装着され）、さらに、ドラムセットが保管や搬送のために解体される際に、取り外される。
【発明の概要】
【０００３】
ある打楽器（例：ドラムセット）のセットアップ及び組み立てにおいて、演奏者は、ドラム（例：バスドラム、フロアタム、タムタム）、シンバル（例：クラッシュシンバル、ライドシンバル）、及び、その他のタイプの打楽器装置、例えば、打楽器用付属品（例：カウベル、タンバリン、ウッドブロック、チャイム）のような、相互に関連した数多くの異なる打楽器装置部品を配置することができる。様々な打楽器装置部品を配置し装着する際に、一又は二以上のドラムクランプを用いて、（支持スタンドに、あるいは、相互に）異なる打楽器装置部品を装着することがしばしば望ましい。本発明に係るドラムクランプは、ドラム用ラグの代わりに設置され得る。これにより、ドラムを大きく改変（例：ドラムの一部を切断又は機械加工）することなく、様々な打楽器装置部品がドラムクランプに適応することを許容する。また、ドラム本体とドラムクランプとの間に配置された振動絶縁部材を用いて、ドラムクランプにより固定される打楽器装置部品をドラムの振動から絶縁することもまた望ましい。
【０００４】
本発明のある側面として、打楽器は、略円筒状の音楽用ドラム本体と、前記ドラム本体の上端に多数のドラム用ラグにより固定された音生成面と、を有する音楽用ドラムと、前記多数のドラム用ラグのうち一つのドラム用ラグに装着され、装着ロッドを前記ドラム本体に着脱可能に固定するドラム装着クランプと、を含む。前記ドラム装着クランプは、前記ドラム本体上に装着される装着台座と、前記装着台座上に装着された装着クランプと、を含む。前記装着クランプは、クランプ台座と、クランプ要素と、を含み、前記クランプ台座及びクランプ要素は、前記装着ロッドを受容する第一の開位置と、前記装着ロッドを固定的に把持する第二のクランプ位置と、の間で可逆的に調節できる。
【０００５】
実施形態は、以下の特徴の一又は二以上を含むことができる。全体として前記装着台座と前記装着クランプとの間に配置され、これらを連結し、前記装着クランプを前記ドラム本体から振動絶縁して設置する振動絶縁部材。前記振動絶縁部材は、ゴムを含んでいる。前記装着台座は、第一の面内に位置して前記振動絶縁部材に係合される第一のピン部材を画定するとともに、前記第一の面は、前記音楽用ドラムの軸線に対し略水平方向とされ、かつ、前記クランプ台座は、前記第一の面に対して略垂直方向の第二の面内に位置し、前記振動絶縁部材に係合される第二のピン部材を画定するとともに、前記第二の面は、前記音楽用ドラムの軸線に対し略鉛直とされている。前記振動絶縁部材は、弾性を有し振動を減衰する材料から形成され、前記第一のピン部材周りに受容された一対の第一座金要素と、弾性を有し振動を減衰する材料から形成され、前記第二のピン部材周りに受容された第二座金要素と、を有している。前記一対の第一座金要素の各座金要素は、互いに逆向きの前記装着台座によって規定された第一収容部に配置されており、かつ、前記第二座金要素は、前記装着台座によって規定された第二収容部に配置されている。前記第二座金要素は、全体として、前記一対の第一座金要素よりも、前記ドラムの前記音生成表面に対し前記ドラムクランプの下方の端部に設けられている。前記第一のピン部材は、前記第一座金要素を貫いて延びている。固定要素（例：ねじ部品）は、前記第一及び第二のピン部材を前記クランプ台座に対して固定する。一又は二以上の装着部材は、前記装着台座をドラム用ラグの位置において前記ドラム本体に固定する。前記装着部材は、前記ドラム本体のドラム用ラグ受容部に係合されたねじ部品である。ある実施形態においては、前記打楽器は、前記装着ロッドに固定されるメモリロック装置であって、前記ドラムクランプと当該メモリロック装置が前記装着ロッドに固定されかつ相互に当接した際に、前記ドラム装着クランプの合わせ面に受容されるように形成されかつ配置される外面を規定するメモリロック装置を含む。
【０００６】
本発明の他の側面においては、音楽用ドラム本体にドラム用ラグを装着するよう規定された位置で、装着ロッドを着脱可能に装着するドラム装着クランプは、前記音楽用ドラム本体上に装着する装着台座と、前記装着台座上に装着される装着クランプと、を含む。前記装着クランプは、クランプ台座及びクランプ要素を含み、前記クランプ台座及びクランプ要素は、前記装着ロッドを受容する第一の開状態と、前記装着ロッドを固定的に把持する第二のクランプ状態との間で可逆的に調節できる。
【０００７】
実施形態は、以下の特徴の一又は二以上を含むことができる。全体として前記装着台座と前記装着クランプとの間に配置され、これらを連結し、前記装着クランプを前記ドラム本体から振動絶縁して設置する振動絶縁部材。前記振動絶縁部材は、ゴムを含んでいる。前記装着台座は、第一の面内に位置して前記振動絶縁部材に係合される第一のピン部材を画定しており、かつ、前記クランプ台座は、前記第一の面に対して略垂直方向の第二の面内に位置して前記振動絶縁部材に係合される第二のピン部材を画定している。前記振動絶縁部材は、弾性を有し振動を減衰する材料から形成され、前記第一のピン部材周りに受容された一対の第一座金要素と、弾性を有し振動を減衰する材料から形成され、前記第二のピン部材周りに受容された第二座金要素と、を含んでいる。前記一対の第一座金要素の各座金要素は、互いに逆向きの前記装着台座によって規定された第一収容部に配置されており、かつ、前記第二座金要素は、前記装着台座によって規定された第二収容部に配置されている。前記第二座金要素は、前記一対の第一座金要素よりも前記ドラムクランプの第一の端部に相対的に近接している。前記第一のピン部材は、前記第一座金要素を貫いて延びている。ある実施形態においては、固定要素（例：ねじ部品）は、前記第一及び第二のピン部材を前記クランプ台座に対して固定する。
【０００８】
本発明の他の側面においては、音楽用ドラム本体にドラム用ラグを装着するよう規定された位置で、装着ロッドを着脱可能に装着するドラム装着クランプは、前記音楽用ドラム本体上に装着する装着台座であって、装着ロッドの収容部を規定する装着台座と、前記ドラムクランプを装着ロッドに固定し、前記音楽用ドラム本体を前記装着ロッドに対して配置する固定要素と、含んでいる。
【０００９】
本発明の実施形態は、以下の有利な点の一又は二以上を有し得る。例えば、いくつかの実施形態においては、ここに描写されるドラムクランプは、当該ドラムクランプに固定される装着ロッドを用いて、振動絶縁部材とともに装着クランプを当該ドラムクランプの装着台座に固定することにより、ある種の従来からあるドラムクランプと比較して前記ドラムから良好な振動絶縁のもとで、ドラムを打楽器スタンドや他のドラムへ装着することができ、あるいは、打楽器用付属品をドラムへ装着することができる。
【００１０】
ここに描写される前記ドラムクランプはまた、ドラムの既存のドラム用ラグを取り外し、ドラムに対する鉛直及び水平軸の双方に沿ってドラムに装着クランプを結合することによって、ある種の従来からあるドラムクランプと比較して、単純なかつ非侵襲的な方法でドラムに固定され得る。
【００１１】
本発明の一又は二以上の実施形態の詳細は、添付の図面及び以下の記述で説明されている。本発明の他の側面、特徴及び有利な点は、当該記述及び図面から、そして特許請求の範囲から、明らかになるだろう。
【図面の簡単な説明】
【００１２】
【図１】本発明に係るドラム装着クランプを備えた音楽用ドラムの斜視図である。
【図２Ａ】図１のドラム装着クランプの拡大斜視図及び分解斜視図である。
【図２Ｂ】図１のドラム装着クランプの拡大斜視図及び分解斜視図である。
【図３】図１のドラム装着クランプの正面断面図である。
【図４】図１のドラム装着クランプの平面断面図である。
【図５】図１のドラム装着クランプの側面断面図である。
【図６Ａ】図１のドラム装着クランプの第一の開位置と、第二の閉位置と、の間の調整を示している。
【図６Ｂ】図１のドラム装着クランプの第一の開位置と、第二の閉位置と、の間の調整を示している。
【図７】装着ロッドに固定され、同じく装着ロッドに固定されたメモリロックに当接している、図１のドラム装着クランプの斜視図である。
【図８】本発明に係るドラム装着クランプの他の実施形態の拡大斜視図である。
【図９】図１又は図８のドラム装着クランプの様々な使用例を示している。
【図１０】図１又は図８のドラム装着クランプの様々な使用例を示している。
【図１１】図１又は図８のドラム装着クランプの様々な使用例を示している。
【図１２】図１又は図８のドラム装着クランプの様々な使用例を示している。
【図１３】図１又は図８のドラム装着クランプの様々な使用例を示している。
【図１４】図１又は図８のドラム装着クランプの様々な使用例を示している。
【図１５】図１又は図８のドラム装着クランプの様々な使用例を示している。
【図１６】図１又は図８のドラム装着クランプの様々な使用例を示している。
【図１７】図１又は図８のドラム装着クランプの様々な使用例を示している。
【発明を実施するための形態】
【００１３】
図１を参照すると、一つの実施形態において、打楽器１００は、略円筒状のドラム本体１０４を有する音楽用ドラム１０２と、ドラム本体１０４の上端部に固定された音生成面（例：ドラムヘッド）１０６と、ドラム装着クランプ１１０と、を含んでいる。ドラム装着クランプ１１０は、セット間で、又は演奏中でさえ、多数の異なる付属品スタンドであふれ返すことなく、ドラム奏者に、ドラム本体１０４に装着ロッド（ドラム又はシンバルの装着ロッド）１１２を着脱可能に装着すること及び取り外すことを許容する。
【００１４】
図１乃至図５をも参照すると、ドラム１０２は、ドラムヘッド１０６をドラム本体１０４に固定するドラムリング１０７を含んでいる。ドラム本体１０４の外周まわりに固定された（例：ねじ部品を用いて締結された）ドラム用ラグ１０８に（ねじ式の連結を通じて）受容された複数の張力ロッド１０９を用いて、ドラムリング１０７及びドラムヘッド１０６に張力が作用させられる。張力ロッド１０９は、ドラム本体１０４に対するドラムヘッド１０６の張力を調整するために、ドラム用ラグ１０８に対して連続的に回転され得る。
【００１５】
ドラム装着クランプ１１０は、ドラム本体１０４にドラム装着クランプ１１０を装着するための装着台座１１４と、装着台座１１４に固定された装着クランプ部材１１６と、を有している。装着クランプ部材１１６は、クランプ台座１１８と、協働的クランプ要素１２０と、を有している。
【００１６】
クランプ保持部材（例：クランプレバー又は蝶ナット）１１９は、クランプ要素１２０をクランプ台座１１８に対して固定する。クランプ保持部材１１９は、操作部（例：レバー）１１９ｂに形成された締結部（例：ねじ穴）１１９ａを含む。図６Ａを参照すると、クランプ保持部材の締結部１１９ａは、クランプ台座１１８から延びているクランプ締結具（例：ねじ部品）１２３に（ねじ式の連結により）係合する。クランプ締結具１２３は、クランプ要素１２０内に形成されたクランプ保持部材収容部１２１に収容され、クランプ要素１２０が当該クランプ締結具１２３に対して移動できるようになっている。クランプ要素１２０が、クランプ台座１１８に対して第二のクランプ位置にあるとき、締結部１１９ａは、クランプ台座１１８のクランプ締結具１２３に係合し、クランプ要素１２０をクランプ台座１１８に固定する。クランプ要素１２０は、締結部１１９ａとクランプ締結具１２３との間にあるねじ式の連結を締め付けることにより、クランプ台座１１８に向かって移動され、第二のクランプ位置に固定される。クランプ保持部材１１９はまた、（ねじ式の連結を締め付けることにより）装着クランプ１１６内で装着ロッドを把持するためのクランプ力を作用させる。装着ロッド１１２を固定的に把持するために、第二のクランプ位置において、クランプ台座１１８及びクランプ要素１２０は、直径が約０．３７５インチ（９．５ｍｍ）乃至約０．５インチ（１２．７ｍｍ）の収容部を画定する。
【００１７】
上述した実施形態において、振動絶縁部材１２２が、装着クランプ部材１１６と装着台座１１４との間に配置され、これらを連結している。振動絶縁部材１２２は、装着クランプ部材１１６をドラム本体１０４から振動絶縁状態に置き、（ドラムを叩くことによる）当該ドラム１０２の振動が、装着ロッド１１２に、更にその後、共に装着されたドラムや打楽器用付属品に、実質的に伝搬されないようになっている。振動絶縁部材１２２は、装着台座１１４と、装着クランプ要素１１６と、の間に配置された振動絶縁材料（例：ポリウレタン、ゴム又はエラストマ）の要素を含むことができる。
【００１８】
図２Ａ、図２Ｂ、図３、図４及び図５を参照すると、いくつかの実施形態において、第一のピン部材１２４は、（ドラムの軸線Ａに対して略水平な）第一の面内に位置し、装着台座１１４内に配置された振動絶縁部材１２２の一部に係合している。第一のピン部材１２４はまた、クランプ台座１１８内に形成された第一のピン収容部を貫いており、装着クランプ部材１１６を装着台座１１４に連結し、かつ、装着クランプ部材１１６が装着台座１１４に対して鉛直方向に移動することを規制している。同様に、第二のピン部材１２６は、第一の面に略垂直に延びる（ドラムの軸線Ａに対して略鉛直な）第二の面内に位置し、装着台座１１４内に配置された振動絶縁部材１２２の一部に係合されている。第二のピン部材１２６はまた、クランプ台座１１８内に形成された第二のピン収容部を貫いており、装着クランプ部材１１６を装着台座１１４に連結し、かつ、装着クランプ１１６が装着台座１１４に対して水平方向に移動することを規制している。複数（例：２本）のピン部材１２４、１２６は、互いに対して実質的に垂直に配置され、装着クランプ部材１１６を、鉛直軸及び水平軸の双方に関して装着台座１１４に連結する。典型的には、第一及び第二のピン部材１２４、１２６は、略円筒状、かつ、ドラム装着クランプ１１０に係合された、装着クランプ部材１１６及びあらゆる打楽器用付属品１１２の重量を支持できる寸法である。
【００１９】
上述した実施形態のように、振動絶縁部材１２２は、弾性を有し振動を減衰する材料から形成され、第一のピン部材１２４周りに受容された一対の第一座金要素１２８と、弾性を有し振動を減衰する材料から形成され、第二のピン部材１２６周りに受容された第二座金要素１３０と、を含んでいる。第一のピン部材１２４は、装着台座１１４の第一収容部１３２内の各第一座金要素１２８との係合により、当該装着台座１１４に連結されている。いくつかの実施形態においては、第一のピン１２４は、第一座金要素１２８を貫いて延びている。第二のピン部材１２６は、装着台座１１４の第二収容部内１３４内の第二座金要素１３０との係合により、当該装着台座１１４に連結されている。第二収容部１３４は、典型的には、一対の第一座金要素１２８よりもドラム装着クランプ１１０の第一端部（例：下端部）の近くに配置されている。
【００２０】
図４及び図５を参照すると、ドラム装着クランプ１１０は、第一及び第二のピン部材１２４、１２６をクランプ台座１１８に対して適当な位置に固定する固定要素１３６を含んでいる。これにより、装着クランプ部材１１６を装着台座１１４に対して適当な位置にしっかりと固定する。いくつかの実施形態においては、固定要素１３６は、クランプ台座１１４により画定されたねじ式の収容部１３７に収容される締結具（例：ねじ部品）である。
【００２１】
ドラムクランプ１１０は、当該ドラムクランプ１１０をドラム本体１０４に固定する複数（例：２つ）の装着部材１３８を含んでいる。装着部材１３８は、典型的には、ドラム本体１０４の周囲に配置された受容部（締結具の受容部）内に受容される寸法の締結具（ねじ部品）である。典型的には、ドラム装着クランプ１１０は、ドラム１０２のドラム用ラグ１０８の一つに代えて装着される。従って、装着台座１１４は、装着部材１３８を受容する寸法の複数の装着部材収容部１４０を有している。典型的には、装着部材収容部１４０は、ねじ部品（例：Ｍ６型の締結具）である装着部材１３８を収容するために、約０．１８７５インチ（４．８ｍｍ）乃至約０．３７５インチ（９．５ｍｍ）の直径を有しており、かつ、の収容部１４０の中心軸１４２は、約０．７５インチ（１９．１ｍｍ）乃至約２インチ（５０．ｍｍ）分離されており、ドラム装着クランプ１１０が、少なくとも一つの既存のドラム用ラグを置き換えるためにドラム本体１０４に固定され得るようになっている。いくつかの実施形態においては、装着部材収容部の一又は二以上は、異なるボルトパターン構造を有しているドラム本体に適応するために、溝付きの収容部（凹部）として形成されている。
【００２２】
装着台座１１４は、ドラム装着クランプ１１０がドラム用ラグ１０８に代えて装着された際に、取り外されたドラム用ラグ１０８に代えて作動するよう構成されており、かつ、張力ロッド１０９の一つを受容するように寸法決めされ配置された張力ロッド受容部１４２を含んでいる。ドラムヘッド１０６をドラム本体１０４に固定するために、ドラム装着クランプ１１０は、ドラム用ラグ１０８に代えてドラム本体１０４に固定され、更に、張力ロッド１０９を用いてドラムリング１０７に張力が加えられる。
【００２３】
装着部材１３８及び張力ロッド受容部１４２の配置は、ドラム装着クランプ１１０が一つのドラム用ラグ１０８に代えてドラム本体１０４に固定され得ることを許容し、装着ロッド１１２を使用して、ユーザーにとって簡単かつ迅速にドラムを他の装置部品（例：他のドラム又はスタンド）に設置し、あるいは、打楽器付属品装置をドラムに設置する。
【００２４】
いくつかの実施形態が示されている。
【００２５】
本発明の主旨及び範囲を逸脱することなく、様々な変更がなされ得ることが理解されるだろう。その結果、他の実施形態も、以下の特許請求の範囲に含まれる。例えば、装着台座１１４、クランプ台座１１８、クランプ要素１２０、クランプ保持部材１１９、及び第一及び第二のピン部材１２４、１２６は、各々、様々な適切な材料（例：プラスチック、複合材料又は金属）のいずれかから製造されることができる。弾性を有し振動を減衰する材料は、適正な振動減衰をもたらす構造的に適切な様々な材料のいずれか（例：ゴム、エラストマ又はウレタン）から製造されることができる。ドラム装着クランプ１１０は、分離した装着部材１３８を用いてドラム本体１０４に取り付けられると説明してきたが、他の技法も可能である。例えば、いくつかの実施形態においては、装着部材は、装着台座又はクランプ台座の特徴として、一体的に形成される。
【００２６】
図７を参照すると、メモリロック要素２００は、装着ロッド１１２に沿ってドラム装着クランプ１１０の望ましい装着位置を保持するために、装着ロッド１１２上に固定され得る。メモリロック要素２００は、第一のクランプ要素２０２と、第二のクランプ要素２０４と、を含み、これらは、装着ロッド１１２を把持するために固定要素（例：ねじ部品）２０６によって相互に固定される。第一及び第二のクランプ要素２０２、２０４は、ドラム装着クランプ１１０の上側及び下側の対応する面と結合するように形成された、湾曲した上側及び下側表面を有する。典型的には、ユーザーは、他のドラムに対するあるドラムの望ましい配置を決定するだろう。いったん配置されると、ユーザーは、メモリロック２００をドラム装着クランプ１１０に当接させ、メモリロック２００を装着ロッド１１２に固定することができる。メモリロック２００を装着ロッド１１２上に固定することは、ユーザーが、望ましい位置及び配置を失うことなく、ドラム及びドラム装着クランプ１１０を装着ロッド１１２から取り外すことを許容する。
【００２７】
図９乃至図１３は、ドラム装着クランプ１１０の代表的な用途を示している。例えば、図９を参照すると、ドラム装着クランプ１１０は、ドラムセットの様々な構成要素を互いに装着することができる。図１０は、バスドラム３５０に二つのタムタム２５０を装着しているドラム装着クランプ１１０を示している。図示されているように、いくつかの装着ロッド１１２は、デュアルタムタム装着器２５１に固定されている。ドラム用ラグに代えて装着された複数のドラム装着クランプ１１０は、タムタム２５０及びバスドラム３５０に固定され、更に、バスドラム３５０に対して望ましい位置にタムタム２５０を配置するべく、装着ロッド１１２を把持する。メモリロック２００は、タムタム２５０が装着ロッドから取り外された際に、その位置及び方向を保持する。
【００２８】
図１１を参照すると、バスドラム３５０に単一のタムタム２５０を固定するために、単一のタムタム装着器２５２が当該バスドラム３５０に固定され得る。図示されるように、バスドラム３５０及びタムタム２５０の双方に対してドラム用ラグに代えて装着された複数のドラム装着クランプ１１０は、単一のタムタム装着器２５２をバスドラム３５０に装着し、単一のタムタム装着器２５２から伸びている装着ロッド１１２を把持するために、使用される。
【００２９】
図１２を参照すると、フロアタム４５０は、装着ロッド１１２と類似の断面寸法及び構造を有する、複数（例：３本）の脚部２１２により支持され得る。各脚部２１２は、ドラム用ラグに代えて装着されたドラム装着クランプ１１０を用いてフロアタム４５０に装着されている。装着ロック２００は、フロアタム４５０が保管又は搬送のために解体される際に、各脚部２１２の高さ及び方向を保持する。
【００３０】
図１３を参照すると、バスドラム３５０もまた、ドラム用ラグに代えて装着されたドラム装着クランプ１１０により把持される装着ロッド１１２の一部を有する脚部材３１０により支持され得る。
【００３１】
ドラム装着クランプ１１０は、異なるタイプのドラムを装着ロッド１１２又は支持脚若しくは脚部要素に装着するために使用されるとして説明されているが、他のタイプの打楽器装置も、ドラム装着クランプ１１０を使用して装着され得る。例えば、図１４乃至図１７を参照すると、ドラム装着クランプ１１０は、シンバルスタンド５５０Ａ、５５０Ｂを装着するために、バスドラム３５０上のドラム用ラグに代えて装着され得る。図示されるように、ドラム装着クランプ１１０は、バスドラム３５０及びタムタム２５０に対して望ましい方向にシンバル５５１を配置するために、シンバルスタンド５５０Ａ、５５０Ｂにクランプされる装着ロッド１１２の一部を把持できる。
【００３２】
また、図８を参照すると、本発明のドラム装着クランプ１１０’の他の実施形態では、装着台座１１４’及びクランプ台座１１８’は、ドラム本体１０４’とわずかな振動絶縁で、又は振動絶縁なしで連結されている。
【図１】
2015506492.tif 000003
【図２Ａ】
2015506492.tif 000004
【図２Ｂ】
2015506492.tif 000005
【図３】
2015506492.tif 000006
【図４】
2015506492.tif 000007
【図５】
2015506492.tif 000008
【図６Ａ】
2015506492.tif 000009
【図６Ｂ】
2015506492.tif 000010
【図７】
2015506492.tif 000011
【図８】
2015506492.tif 000012
【図９】
2015506492.tif 000013
【図１０】
2015506492.tif 000014
【図１１】
2015506492.tif 000015
【図１２】
2015506492.tif 000016
【図１３】
2015506492.tif 000017
【図１４】
2015506492.tif 000018
【図１５】
2015506492.tif 000019
【図１６】
2015506492.tif 000020
【図１７】
2015506492.tif 000021
【国際調査報告】
2015506492.tif 000022